(57)【特許請求の範囲】
【請求項１】
記録紙の両面に像形成するための両面像形成機構を有する画像形成装置において、所望の像形成モードを設定するためのキー入力手段と、上記キー入力手段により設定される像形成モードを、上記画像形成装置の電源がオンしたときに設定される標準モードとして登録する登録手段と、を有し、上記キー入力手段により設定された像形成モードの中に上記両面像形成機構を使用する像形成モードが含まれていない場合、上記登録手段は標準モードとしての登録を禁止することを特徴とする画像形成装置。
【請求項２】
更に、上記登録手段により登録された標準モードを初期化する初期化手段を有し、初期化後の標準モードは記録紙の両面に像形成する両面モードを含むことを特徴とする請求項１記載の画像形成装置。
【発明の詳細な説明】
【技術分野】
【０００１】
本発明は記録紙の両面に像形成できる画像形成装置に関する。
【背景技術】
【０００２】
従来、画像形成複写装置では、通常、片面複写モードが標準複写モードのデフォルトとして使用され、また、今までの複写機などの画像形成装置は、片面複写モードを基準に操作表示設定手段が作成されてきたため、片面複写モードを設定するための操作は、容易であった（例えば、特許文献１参照）。
【特許文献１】特開平７−２３９６３３号公報
【発明の開示】
【発明が解決しようとする課題】
【０００３】
しかしながら、紙の省資源化の傾向に伴い、両面複写をとる機会が増え、標準複写モードが片面複写モードから両面複写モードへと移り変ると、片面複写を行うユーザーにとっては、標準複写モードが片面複写と慣れてしまっているため、両面複写モードとなっている事に気づかないで、コピースタートを行ってしまい、ミスコピーを発生させやすくなる。
【０００４】
また、省資源化の目的で、両面複写モードを標準複写モードとしたにもかかわらず、勝手に両面複写モードが標準モードから除かれてしまうと、省資源化の効果が半減するという問題点もある。
【課題を解決するための手段】
【０００５】
本発明は、上記の問題点を解決することを目的とするものである。
【０００６】
記録紙の両面に像形成するための両面像形成機構を有する画像形成装置において、所望の像形成モードを設定するためのキー入力手段と、上記キー入力手段により設定される像形成モードを、上記画像形成装置の電源がオンしたときに設定される標準モードとして登録する登録手段と、を有し、上記キー入力手段により設定された像形成モードの中に上記両面像形成機構を使用する像形成モードが含まれていない場合、上記登録手段は標準モードとしての登録を禁止することを特徴とする画像形成装置を提供するものである。
【発明の効果】
【０００７】
本発明によれば、標準複写モードを変更する際に、オペレータが設定した複写モード内に両面複写モードが含まれていなければ、標準複写モードとしての登録を禁止することにより、不容易に両面複写モードが標準複写モードから除外され、省資源化の効果が半減してしまうのを防止することができる。
【発明を実施するための最良の形態】
【０００８】
以下、図面を参照して本発明の実施の形態を説明する。
【０００９】
図１は、本発明を適用できる画像形成装置の制御回路の全体構成を示すブロック図である。
【００１０】
画像読み取り部１０１は、原稿画像の反射光を、光学系を介して入力し、アナログ信号に変換するＣＣＤ及び前記ＣＣＤから受け取ったアナログ信号をデジタル信号に変換するＡ／Ｄコンバータ等から構成され、読み取った画像信号を画像処理部１０２に送出する。
【００１１】
画像処理部１０２は、シェーディング補正回路、光色濃度変換回路、及びユーザーの指示に基づいて画像の変倍、移動、装飾等の編集を行う画像編集回路などから構成され、画像読み取り部１０１より入力した画像を補正及び編集し、画像データセレクタ１０３を通り画像記録部１０４或いは画像記憶用の画像メモリ１０５に送出する。
【００１２】
画像データセレクタ１０３は、画像処理部１０２より送出されたデータを画像記録部に送出するパスと、画像処理部１０２より送出されたデータを画像メモリ１０５に送出するパスを、後述するＣＰＵ回路部１０７の指示により、切り換えるデータバス切り換え回路、また、画像処理部１０２より送られた画像データと画像メモリ１０５より読み出された画像データの切り換え、或いは、合成を行う回路などから構成される。
【００１３】
画像記録部１０４は、画像データセレクタより送られた画像データの濃度信号に基づいて記録紙に画像を複写する。
【００１４】
ＣＰＵ回路部１０７は、本装置全体の制御を行うもので、制御プログラム、エラー処理プログラム、レイアウト方式決定プログラム等を格納するＲＯＭと、各種のプログラムのワークエリア等のために使用されるＲＡＭと、各種タイマー制御部等を有して構成されている。
【００１５】
操作部１０６は、画像処理部１０２に対する画像編集内容、コピー枚数、変倍率などの画像複写動作等を指示する各種キー群と、操作時の内容を表示する表示部などを有している。
【００１６】
フィーダーは、フィーダーの積載部に載置された原稿を原稿台上に給送したり、載置された原稿の枚数や、サイズを検知し、ＣＰＵ回路部１０７に信号を送る。
【００１７】
図２は、本発明の実施例における画像形成装置の構成を示す概略断面図である。
【００１８】
図２において、コピースタートキーが押されると、原稿給送装置１に載置された原稿を原稿台ガラス２面上に給送すると、スキャナー３のランプが点灯し、かつ、スキャナーユニット４が移動して原稿を照射する。原稿の反射光は、ミラー５、６、７を介してレンズ８を通過し、その後画像読取部１０１のイメージセンサ部９に入力される。イメージセンサ部９に入力された画像は、画像処理部１０２により処理され、画像記録部１０４の露光制御部に１０に入力され、或いは、一旦、画像メモリ１０５に記憶され、画像メモリ内で、処理が行われ、再び読み出された後、露光制御部１０に入力される。そして、露光制御部１０にて光信号に変換され、画像信号にしたがって変調されて、感光体１１を照射する。この照射によって感光体１１上に作られた潜像は、現像器１２あるいは１３によって現像される。そして、転写紙に転写されたトナー像は、定着部１７にて転写紙に定着された後、片面複写時及び両面複写の２面時には排紙部１８より装置外部に排出される。また、両面複写の１面時には、フラッパーにより、両面搬送部２２、２３、２４へと搬送される。
【００１９】
図３において、３００は、コピースタートキーである。３０１は、ストップキーであり、連続コピーをストップするときに使用するキーである。３０２は、クリアキーであり、数値をクリアするときに用いる。３０３は、ＩＤキーであり、このＩＤキー３０３により特定の操作者に対して複写動作を可能にし、上記以外の操作者に対しては、ＩＤキーによりＩＤを入力しない限り複写動作を禁止することが可能となる。３０４は、ガイドキーであり、各キーの機能を知りたいときに使用するキーである。３０５は、ユーザモードキーであり、その機械の仕様や状態などを設定するときに使用するキーである。ユーザモードの中には、操作表示部１０６の標準画面に追加表示させるソフトキーを設定するためのお好み機能設定（２種類）、仕様設定、タイマー設定、調整／クリーニングがある。３０６は、割り込みキーであり、連続コピー中に割り込んで別のコピーを行いたいときに使用する。３０７は、予熱キーであり、予熱モードに移行したいときや、予熱モードから復帰したいときに使用する。３０８は、リセットキーであり、複写モードを標準複写モードにしたいときに使用する。３０９は、テンキー群であり、数値や、倍率の設定などに使用する。３１０は、液晶表示操作部であり、機械の状態や、複写モードの設定状況を表示し、表示されたソフトキーをタッチすることにより、この液晶表示が変化し操作を行っていく。
【００２０】
図４は、従来の液晶表示操作部の標準状態における画面である。
【００２１】
４０１は、機械の状態や、設定されている置数、設定されている倍率、指定した用紙サイズなどが表示される。４０２は、縮小キーであり、定形サイズを他の定形サイズに縮小したいときに使用する。４０３は、等倍キーであり、１００％の等倍コピーを行いたいときに使用する。４０４は、拡大キーであり、定形サイズを他の定形サイズに拡大したいときに使用する。４０５は、すこし小さめキーであり、設定してある倍率に対し、少し小さい倍率でコピーを行いたいときに使用する。（すこし小さめの初期倍率は、９３％であり、初期倍率の変更は、ユーザーモード内の仕様設定にて行う。）４０６は、ズームキーであり、任意倍率を設定してコピーを行うときや、原稿サイズと用紙サイズから自動的に倍率を計算して行うオートズーム機能や、原稿上での長さと出力する時の長さを指定して倍率の計算を行うズームプログラム機能を行うときに使用する。４０７は、うすくキーであり、コピー濃度を薄くしたいときに使用する。４０８は、ＡＥキーであり、原稿の濃度に対してコピー濃度を自動的に調整したいときに使用する。４０９は、こくキーであり、コピー濃度を濃くしたいときに使用する。４１０は、用紙選択キーであり、原稿サイズと、倍率から自動的に用紙を選択する自動用紙選択（ＡＰＳ）や、用紙サイズを手動指定するときに使用する。４１１は、ソータキーであり、ソータが装着されている場合にのみ表示され、記録紙の出力形態（ノンソート、ソート、グループソート、ステイプルソート）や、ステイプルの位置の設定を行うときに使用する。４１２は、両面キーであり、記録紙の両面に複写したり、両面原稿を扱う場合にこの両面キーを押す。４１３は、応用モードキーであり、種々な機能を行う時に押すと、図８のような表示画面となる。
【００２２】
図５は本実施例における表示操作部３１０の標準状態における画面であり、電源をオンしたとき、リセットキー３０８を押したとき、装置を所定時間操作せずにオートクリア機能が働いたときに表示される。
【００２３】
図４の従来の表示と比べて、両面キー４１２の代わりに片→両面キー４１５が表示され、片面コピーキー４１４が追加表示されている。片→両面キー４１５は複数の片面原稿の画像を記録紙の両面に複写する場合に押す。片面コピーキー４１４は両面複写モードが設定されている状態で片面複写モードを選択するときに押す。標準状態（標準複写モード）では片→両面キー４１５が押された状態となっている。従って、両面複写モードが標準複写モードとなっていても片面コピーキー４１４を押すだけで即座に片面複写モードを選択できる。
【００２４】
片面コピーキー４１４を押して片面複写モードが選択されると、図７に示すように片面コピーキー４１４が白黒反転表示され、片→両面キー４１５の代わりに両面キー４１２が表示される。
【００２５】
両面キー４１２又は片→両面キー４１５を押すと、図７に示すように、片面原稿から記録紙の両面に複写する片面→両面モード、両面原稿から記録紙の両面に複写する両面→両面モード、両面原稿から記録紙の片面のみに複写する両面→片面モード、見開き本の左右のページを記録紙の両面に複写する連写両面モードを選択する画面が表示される。
【００２６】
図８は、前述したように４１３の応用モードキーを押した場合の表示画面であり、４３０は、枠消しキーであり、モードに合わせて枠消しを行う時に使用する。モードは、シート枠消し（シートサイズに対して枠を作成する。）、原稿枠消し（原稿サイズに合わせて枠を作成する。原稿サイズの指定を行う。）、ブック枠消し（ブックの見開きサイズに合わせて枠と中央に空白を作成する。ブック見開きサイズ指定を行う。）、パンチ穴消し（パンチ穴の開いた原稿をコピーする場合に、穴の影がコピーされないようにパンチ部分を空白にする。パンチ穴の幅設定を行う。）がある。４３１は、綴じ代キーであり、用紙の一端（上下左右）に綴じ代を作成したいときに使用する。４３２は、表紙／合紙キーであり、複写された記録紙に表紙や、裏表紙、合紙を挿入したいときに使用する。４３３は、縮小レイアウトキーであり、複数の原稿を１枚に拡大縮小して複写を行うときに使用する。４枚の原稿を１枚にコピーする場合には４ｉｎ１であり、２枚の原稿を１枚にする場合には２ｉｎ１である。４３４は、ＯＨＰ中差しキーであり、ＯＨＰ用紙にコピーを行うときに中差しを自動的に行うモードである。更に、中差し用紙にコピーする、しないを設定する。４３５は、ページ連写キーであり、原稿台ガラス面上の複写領域を左右に２分割し、自動的に２枚のコピーをする連続複写を行いたいときに使用する（右開き本、左開き本、反転排紙などの設定を行う）。４３６は、拡大レイアウトキーであり、例えば縮小レイアウトモードでコピーされた原稿を元に戻すように、１枚の原稿を分割して拡大するモードである。４３７は、多重キーであり、１枚の記録紙の片面に２つの画像を重ねて複写するときに使用する。モードとして多重、ページ連写多重がある。４３８は、原稿混載キーであり、フィーダーを使用して、コピーを行う際に原稿サイズが混載（Ａ４とＡ３、Ｂ５とＢ４等）しているときに使用する。４３９は、写真キーであり、写真原稿を複写する場合に使用する。４４０は、モードメモリキーであり、ユーザーの設定した複写モードを記憶しておきたいときに使用したり、記憶してある複写モードを呼び出したいときに使用する。４４１は、終了キーであり、応用モードの画面を終了する場合に使用する。このキーを押すと、図５又は図６の表示画面となる。
【００２７】
ところで、省資源化のために両面複写モードを標準複写モードとして設定するか否かの選択は、サービスマンが行うメンテナンスモードでなされる。即ち、サービスマンが画像形成装置を通常モードからメンテナンスモードに切り換え、操作部１０６の各キーを使って従来の片面複写モードを標準複写モードとするか、省資源化のために両面複写モードを標準複写モードとする（省資源モード）かを選択し、登録する。
【００２８】
ところで、本実施形態の画像形成装置では、前述のユーザモードにおいて、オペレータが設定した所望の像形成モードを標準複写モードとして登録することができる。しかし、サービスマンが両面複写モードを標準複写モードとして登録してあると、一般のオペレータは両面複写モードを含んでいない像形成モードを設定しても、その像形成モードの登録を行えないようになっている。
【００２９】
即ち、標準複写モードを変更するには、所望の像形成モードを設定した後、ユーザモード内の仕様設定で標準モードの変更という項目を選択する。すると、ＣＰＵ制御部１０７がサービスマンにより、両面複写モードが標準モードとして登録されているか否か及び、オペレータにより設定された像形成モードの中に両面複写モードが含まれているか否かを判定する。サービスマンにより両面複写モードが標準複写モードとして登録されており（省資源モード）、かつオペレータが設定した像形成モードの中に両面複写モードが含まれていれば、図９に示すように、登録キー４５０が網かけ表示され、登録キー４５０を操作できないようにすることにより、登録を禁止する。
【００３０】
また、サービスマンにより両面複写モードが標準複写モードとして登録してなければ（省資源モードでなければ）、図１０に示すように登録キー４５０が表示され、どのような像形成モードでも標準複写モードとして登録できるようにする。
【００３１】
ところで、本実施形態の画像形成装置では、ユーザモード内のお好み設定機能として、オペレータがよく使う複写モードの１つを標準画面にソフトキーとして最大２種類表示することができるようになっている。サービスマンにより省資源モードが設定されているときは、片面キーが表示されるので、１種類しか表示できない。
【００３２】
省資源モードが設定されているときは、図１１に示すように、例えばとじ代キー４５１をお好みキーとして表示することができ、省資源モードが設定されていないときは、図１２に示すように、例えばとじ代キー４５１をお好みキー１として、枠消しキー４５２をお好みキー２として表示することができる。
【００３３】
お好み設定機能が選択された場合、ＣＰＵ制御部１０７は、サービスマンにより省資源モードが選択されているか否か判定し、選択されていれば、お好みキーとして表示するモードを選択するための画面を図１３に示すように表示し、お好みキー２のキーを網かけ表示することにより、お好みキー１のみを選択できるようにしている。
【００３４】
一方、省資源モードが選択されていなければ、お好みキーとして表示するモードを選択するための画面を図１４に示すように表示し、お好みキー１とお好みキー２の両方を選択できるようにしている。
【００３５】
上述した実施の形態においては、省資源モードが選択されていないときには、片面キーを表示しないようにしていたが、省資源モードが選択されていなくても、ユーザモード内の標準複写モードの変更により、両面複写モードを標準複写モードとして登録した場合にも片面キーを表示させるようにしても良い。
【００３６】
また、省資源モードが選択されていなくても、両面複写モードを像形成モードとして設定した場合に、即座に片面複写モードに復帰させるために、片面キーを表示させても良い。
【００３７】
また、お好みキーとして表示するソフトキーの数は、表示領域に余裕があれば、最大２個に限定する必要はない。
【図面の簡単な説明】
【００３８】
【図１】画像形成装置の構成を示すブロック図。
【図２】画像形成装置の断面図。
【図３】操作表示部を示す図。
【図４】従来の操作部の標準画面を示す図。
【図５】操作部の標準画面を示す図。
【図６】片面複写モードを選択したときの操作画面を示す図。
【図７】両面複写モードの種類を選択するための操作画面を示す図。
【図８】応用モードの種類を選択するための操作画面を示す図。
【図９】標準複写モードの変更の操作画面を示す図。
【図１０】標準複写モードの変更の操作画面を示す図。
【図１１】操作部の標準画面を示す図。
【図１２】操作部の標準画面を示す図。
【図１３】お好みキーの種類を選択するための操作画面を示す図。
【図１４】お好みキーの種類を選択するための操作画面を示す図。
【符号の説明】
【００３９】
３０５  ユーザモードキー
３１０  液晶操作表示パネル
４１２  両面キー
４１４  片面コピーキー
４１５  片→両面キー
４５０  登録キー
【図１】
0003703472.tif 000002
【図２】
0003703472.tif 000003
【図３】
0003703472.tif 000004
【図４】
0003703472.tif 000005
【図５】
0003703472.tif 000006
【図６】
0003703472.tif 000007
【図７】
0003703472.tif 000008
【図８】
0003703472.tif 000009
【図９】
0003703472.tif 000010
【図１０】
0003703472.tif 000011
【図１１】
0003703472.tif 000012
【図１２】
0003703472.tif 000013
【図１３】
0003703472.tif 000014
【図１４】
0003703472.tif 000015